(57)【要約】【課題】ノイズ低減用端子の電圧の変動による出力電圧の変動により後段に接続された回路が破損することを防止することが可能なレギュレータを提供することを目的としている。【解決手段】ノイズ低減用端子Ｃｎの電圧Ｖｃｎが所定電圧以上となった場合に、駆動用トランジスタであるトランジスタＭ１０をオフさせて、出力電圧Ｖｏｕｔの上昇を制限することにより、レギュレータ１００の後段に接続された回路が破損することを防止する。【選択図】図１
2010244481.tif 000002
【特許請求の範囲】
【請求項１】
エミッタが電圧入力端子に接続され、コレクタが電圧出力端子に接続された駆動用トランジスタと、
前記電圧出力端子と接地との間に直列に接続された第一の抵抗と第二の抵抗とにより前記電圧出力端子から出力される出力電圧を分圧する分圧回路と、
一方の入力端子が前記第一の抵抗と前記第二の抵抗との接続点に接続され、他方の入力端子が基準電圧源に接続され、出力端子から出力される信号を前記駆動用トランジスタのベースへ供給する誤差増幅回路と、
ノイズ低減用コンデンサに接続されるノイズ低減用端子と、
前記ノイズ低減用端子の電圧が所定電圧以上となったか否かを検出する検出手段と、を有し、
前記検出手段が前記ノイズ低減用端子の電圧が所定電圧以上となったことを検出したとき前記駆動用トランジスタをオフさせるレギュレータ。
【請求項２】
前記検出手段は、
エミッタが前記ノイズ低減用端子と接続されており、コレクタが前記誤差増幅回路と接続されており、ベースが前記基準電圧源と接続されたトランジスタであって、
前記トランジスタは、前記ノイズ低減用端子の電圧が前記所定電圧以上となったときオンされ、
前記誤差増幅回路は、前記トランジスタがオンされたときオフされる請求項１記載のレギュレータ。
【請求項３】
前記基準電圧源と、前記駆動用トランジスタのベースとの間に接続された過熱保護回路を有し、
前記検出手段は、
エミッタが前記ノイズ低減用端子と接続されており、コレクタが前記過熱保護回路と接続されており、ベースが前記基準電圧源と接続されたトランジスタであって、
前記トランジスタは、前記ノイズ低減用端子の電圧が所定電圧以上となったときオンされて、
前記過熱保護回路は、前記トランジスタがオンされたとき、駆動用トランジスタをオフさせる請求項１記載のレギュレータ。
【請求項４】
エミッタが前記電圧入力端子と接続されており、前記電圧入力端子と前記電圧出力端子との間を流れる電流を検出するための検出用トランジスタと、
前記検出用トランジスタのコレクタとベースとの間に接続された過電流保護回路と、を有し、
前記検出手段は、
エミッタが前記ノイズ低減用端子と接続されており、コレクタが前記過電流保護回路と接続されており、ベースが前記基準電圧源と接続されたトランジスタであって、
前記トランジスタは、前記ノイズ低減用端子の電圧が所定電圧以上となったときオンされて、
前記過電流保護回路は、前記トランジスタがオンされたとき、駆動用トランジスタをオフさせる請求項１記載のレギュレータ。
【請求項５】
前記基準電圧源は、バンドギャップリファレンス回路を含み、
前記所定電圧は、
前記バンドギャップリファレンス回路のバンドギャップ電圧と、前記トランジスタのベース−エミッタ間電圧との和である請求項２ないし４の何れか一項に記載のレギュレータ。
【発明の詳細な説明】
【技術分野】
【０００１】
本発明は、ノイズ低減用コンデンサと接続されるノイズ低減用端子を有するレギュレータに関する。
【背景技術】
【０００２】
従来、安定化電源の一つとしてレギュレータが広く採用されている（特許文献１）。従来のレギュレータでは、レギュレータ内部のノイズを低減させるノイズ低減用コンデンサと接続されるノイズ低減用端子を有するものがある。
【０００３】
図７は、ノイズ低減端子を有する従来のレギュレータを説明するための図である。レギュレータ１０は、基準電圧回路１１、誤差増幅器１２、ドライバ１３、過電流保護回路１４、過熱保護回路１５、バイアス回路１６を有する。またレギュレータ１０は、トランジスタＭ１、Ｍ２、入力端子Ｖｉ、出力端子Ｖｏ、接地用端子ＧＮＤ、外部端子Ｃｏｎｔ、ノイズ低減用端子Ｃｎを有する。入力端子Ｖｉには入力電圧Ｖｉｎが印加され、出力端子Ｖｏから出力電圧が出力される。接地用端子ＧＮＤは接地される。外部端子Ｃｏｎｔには、レギュレータ１０のオン／オフを制御する制御信号が入力される。ノイズ低減用端子Ｃｎは、ノイズ低減用コンデンサと接続される外部端子であり、レギュレータ１０内で基準電圧回路１１と接続されている。
【０００４】
レギュレータ１０は、出力端子Ｖｏから出力される出力電圧Ｖｏｕｔを抵抗Ｒ１と抵抗Ｒ２とで分圧した電圧Ｖｆｂと、基準電圧回路１１から出力される基準電圧Ｖｒｅｆとの差を誤差増幅器１２で増幅し、その結果によりトランジスタＭ１のベース電流を制御することで安定した直流電圧を出力する。
【０００５】
レギュレータ１０の動作は、レギュレータ１０の挙動を確認するための試験により確認される。この試験には、例えばレギュレータ１０の有する端子同士が短絡した場合のレギュレータ１０の挙動を確認する短絡試験等がある。短絡試験では、レギュレータ１０の有する端子をランダムに短絡させた状態で出力電圧Ｖｏｕｔをモニタすることで、レギュレータ１０の動作を確認する。
【先行技術文献】
【特許文献】
【０００６】
【特許文献１】特開２００８−１９７８９２号公報
【発明の概要】
【発明が解決しようとする課題】
【０００７】
ノイズ低減用端子Ｃｎを有するレギュレータ１０では、短絡試験の一つとして、ノイズ低減用端子Ｃｎと入力端子Ｖｉとを短絡する試験がある。ノイズ低減用端子Ｃｎと入力端子Ｖｉとを短絡した状態で入力端子Ｖｉに印加する入力電圧Ｖｉｎを変化させると、ノイズ低減端子Ｃｎの電圧も変化する。このため基準電圧回路１１で生成される基準電圧Ｖｒｅｆも変化する。レギュレータ１０の出力電圧Ｖｏｕｔは以下の式（１）で示されるため、基準電圧Ｖｒｅｆが変化すると出力電圧Ｖｏｕｔも変化する。
【０００８】
Ｖｏｕｔ＝（Ｒ１＋Ｒ２）Ｖｆｂ／Ｒ２    式（１）
図８は、従来のレギュレータにおいてノイズ低減用端子Ｃｎと入力端子Ｖｉとが短絡した状態でのノイズ低減用端子Ｃｎの電圧と出力電圧Ｖｏｕｔとの関係を示す図である。尚図８では、図７のレギュレータ１０において基準電圧Ｖｒｅｆ＝１．２５Ｖ、抵抗Ｒ１：抵抗Ｒ２＝７：５、出力電圧Ｖｏｕｔの設定値＝３Ｖとした場合を示している。
【０００９】
入力端子Ｖｉとノイズ低減用端子Ｃｎとが短絡した状態で入力電圧Ｖｉｎを上げていくと、ノイズ低減用端子Ｃｎの電圧Ｖｃｎも入力電圧Ｖｉｎに合わせて変化していく。ノイズ低減用端子Ｃｎの電圧Ｖｃｎが基準電圧Ｖｒｅｆよりも低い場合、出力電圧Ｖｏｕｔは設定値よりも低くなる。
【００１０】
しかしながらノイズ低減端子Ｃｎの電圧Ｖｃｎが基準電圧Ｖｒｅｆ以上になると、出力電圧Ｖｏｕｔは設定値以上となる。レギュレータ１０の出力電圧Ｖｏｕｔが設定値を超えると、例えばレギュレータ１０の後段に別の回路が接続されていた場合には、設定値以上の電圧が印加されたことにより後段に接続された回路が破損する虞がある。
【００１１】
本発明は、上記事情を鑑みてこれを解決すべくなされたものであり、ノイズ低減用端子の電圧の変動による出力電圧の変動により後段に接続された回路が破損することを防止することが可能なレギュレータを提供することを目的としている。
【課題を解決するための手段】
【００１２】
本発明は、上記目的を達成するために以下の如き構成を採用した。
【００１３】
本発明のレギュレータは、エミッタが電圧入力端子（Ｖｉ）に接続され、コレクタが電圧出力端子（Ｖｏ）に接続された駆動用トランジスタ（Ｍ１０）と、
前記電圧出力端子（Ｖｏ）と接地との間に直列に接続された第一の抵抗（Ｒ１０）と第二の抵抗（Ｒ２０）とにより前記電圧出力端子（Ｖｏ）から出力される出力電圧（Ｖｏｕｔ）を分圧する分圧回路と、
一方の入力端子が前記第一の抵抗（Ｒ１０）と前記第二の抵抗（Ｒ２０）との接続点（Ａ）に接続され、他方の入力端子が基準電圧源（１１０）に接続され、出力端子（Ｖｏ）から出力される信号を前記駆動用トランジスタ（Ｍ１０）のベースへ供給する誤差増幅回路（１２０）と、
ノイズ低減用コンデンサに接続されるノイズ低減用端子（Ｃｎ）と、
前記ノイズ低減用端子（Ｃｎ）の電圧（Ｖｃｎ）が所定電圧以上となったか否かを検出する検出手段（１７０）と、を有し、
前記検出手段（１７０）が前記ノイズ低減用端子（Ｃｎ）の電圧（Ｖｃｎ）が所定電圧以上となったことを検出したとき前記駆動用トランジスタ（Ｍ１０）をオフさせる構成とした。
【００１４】
また本発明のレギュレータにおいて、前記検出手段（１７０）は、
エミッタが前記ノイズ低減用端子（Ｃｎ）と接続されており、コレクタが前記誤差増幅回路（１２０）と接続されており、ベースが前記基準電圧源（１１０）と接続されたトランジスタ（Ｍ３０）であって、
前記トランジスタ（Ｍ３０）は、前記ノイズ低減用端子（Ｃｎ）の電圧（Ｖｃｎ）が前記所定電圧以上となったときオンされ、
前記誤差増幅回路（１２０）は、前記トランジスタ（Ｍ３０）がオンされたときオフされる構成としても良い。
【００１５】
また本発明のレギュレータは、前記基準電圧源（１１０）と、前記駆動用トランジスタ（Ｍ１０）のベースとの間に接続された過熱保護回路（１５０）を有し、
前記検出手段（１７０）は、
エミッタが前記ノイズ低減用端子（Ｃｎ）と接続されており、コレクタが前記過熱保護回路（１５０）と接続されており、ベースが前記基準電圧源（１１０）と接続されたトランジスタ（Ｍ３０）であって、
前記トランジスタ（Ｍ３０）は、前記ノイズ低減用端子（Ｃｎ）の電圧（Ｖｃｎ）が所定電圧以上となったときオンされて、
前記過熱保護回路（１５０）は、前記トランジスタ（Ｍ３０）がオンされたとき、駆動用トランジスタ（Ｍ１０）をオフさせる構成としても良い。
【００１６】
また本発明のレギュレータは、エミッタが前記電圧入力端子（Ｖｉ）と接続されており、前記電圧入力端子（Ｖｉ）と前記電圧出力端子（Ｖｏ）との間を流れる電流を検出するための検出用トランジスタ（Ｍ２０）と、
前記検出用トランジスタ（Ｍ２０）のコレクタとベースとの間に接続された過電流保護回路（１４０）と、を有し、
前記検出手段（１７０）は、
エミッタが前記ノイズ低減用端子（Ｃｎ）と接続されており、コレクタが前記過電流保護回路（１４０）と接続されており、ベースが前記基準電圧源（１１０）と接続されたトランジスタ（Ｍ３０）であって、
前記トランジスタ（Ｍ３０）は、前記ノイズ低減用端子（Ｃｎ）の電圧（Ｖｃｎ）が所定電圧以上となったときオンされて、
前記過電流保護回路（１４０）は、前記トランジスタ（Ｍ３０）がオンされたとき、駆動用トランジスタ（Ｍ１０）をオフさせる構成としても良い。
【００１７】
また本発明のレギュレータにおいて、前記基準電圧源（１１０）は、バンドギャップリファレンス回路を含み、
前記所定電圧は、前記バンドギャップリファレンス回路のバンドギャップ電圧（Ｖｚ）と、前記トランジスタ（Ｍ３０）のベース−エミッタ間電圧との和である構成としても良い。
【００１８】
尚、上記参照符号は、あくまでも参考であり、これによって、本願発明が図示の態様に限定されるものではない。
【発明の効果】
【００１９】
本発明によれば、ノイズ低減用端子の電圧の変動による出力電圧の変動により後段に接続された回路が破損することを防止することができる。
【図面の簡単な説明】
【００２０】
【図１】第一の実施形態のレギュレータを説明するための図である。
【図２】第一の実施形態の基準電圧回路と検出回路を説明するための図である。
【図３】検出回路の別の例を説明する図である。
【図４】ノイズ低減用端子Ｃｎと入力端子Ｖｉとが短絡した状態でのノイズ低減用端子Ｃｎの電圧と出力電圧Ｖｏｕｔとの関係を示す図である。
【図５】第二の実施形態のレギュレータを説明するための図である。
【図６】第三の実施形態のレギュレータを説明するための図である。
【図７】ノイズ低減端子を有する従来のレギュレータを説明するための図である。
【図８】従来のレギュレータにおいてノイズ低減用端子Ｃｎと入力端子Ｖｉとが短絡した状態でのノイズ低減用端子Ｃｎの電圧と出力電圧Ｖｏｕｔとの関係を示す図である。
【発明を実施するための形態】
【００２１】
本発明は、ノイズ低減用端子の電圧が所定電圧以上となった場合に、駆動用トランジスタをオフさせて出力電圧の上昇を制限することにより、レギュレータの後段に接続された回路が破損することを防止する。
（第一の実施形態）
以下に図面を参照して本発明の第一の実施形態について説明する。図１は、第一の実施形態のレギュレータを説明するための図である。
【００２２】
本実施形態のレギュレータ１００は、基準電圧回路１１０、誤差増幅回路１２０、ドライバ１３０、過電流保護回路１４０、過熱保護回路１５０、バイアス回路１６０、検出回路１７０を有する。また本実施形態のレギュレータ１００は、トランジスタＭ１０、Ｍ２０、入力端子Ｖｉ、出力端子Ｖｏ、接地用端子ＧＮＤ、外部端子Ｃｏｎｔ、ノイズ低減用端子Ｃｎを有する。トランジスタＭ１０、Ｍ２０は、ＰＮＰ型トランジスタである。
【００２３】
入力端子Ｖｉには入力電圧Ｖｉｎが印加され、出力端子Ｖｏから出力電圧Ｖｏｕｔが出力される。接地用端子ＧＮＤは接地される。外部端子Ｃｏｎｔには、レギュレータ１００のオン／オフを制御する制御信号が入力される。
【００２４】
本実施形態のレギュレータ１００は、出力端子Ｖｏから出力される出力電圧Ｖｏｕｔを抵抗Ｒ１０と抵抗Ｒ２０とで分圧した電圧Ｖｆｂと、基準電圧回路１１０から出力される基準電圧Ｖｒｅｆとの差を誤差増幅回路１２０で増幅し、その結果によりトランジスタＭ１０のベース電流を制御する。
【００２５】
レギュレータ１００において、入力端子Ｖｉは、トランジスタＭ１０のエミッタとトランジスタＭ２０のエミッタとに接続されている。トランジスタＭ１０のコレクタは、出力端子Ｖｏと接続されており、トランジスタＭ２０のコレクタは、過電流保護回路１４０と接続されている。過電流保護回路１４０の出力は、ドライバ１３０へ供給される。トランジスタＭ１０は駆動用トランジスタであり、トランジスタＭ２０は過電流保護回路１４０による過電流保護を行うための電流検出用トランジスタである。
【００２６】
外部端子Ｃｏｎｔは、バイアス回路１６０と接続されている。バイアス回路１６０の出力は、基準電圧回路１１０とドライバ１３０とへ供給されており、外部端子Ｃｏｎｔに入力される制御信号に基づき基準電圧回路１１０とドライバ１３０のオン／オフを制御する。
【００２７】
基準電圧回路１１０は、基準電圧回路１１０は接地用端子ＧＮＤと接続されている。また基準電圧回路１１０の出力は、ノイズ低減用端子Ｃｎと接続されており、ノイズ低減用端子Ｃｎはノイズ低減用コンデンサＣ１０と接続されている。基準電圧回路１１０で生成される基準電圧Ｖｒｅｆは、誤差増幅回路１２０の一方の入力へ供給される。また基準電圧Ｖｒｅｆは、過熱保護回路１５０へ供給される。
【００２８】
誤差増幅回路１２０の他方の入力には、出力電圧Ｖｏｕｔを抵抗Ｒ１０と抵抗Ｒ２０とにより構成される分圧回路で分圧した電圧Ｖｆｂが供給される。抵抗Ｒ１０と抵抗Ｒ２０とは、出力端子Ｖｏと接地用端子ＧＮＤとの間に直列に接続されて分圧回路を構成しており、抵抗Ｒ１０と抵抗Ｒ２０との接続点Ａの電圧が電圧Ｖｆｂである。
【００２９】
誤差増幅回路１２０の出力は、ドライバ１３０へ供給される。ドライバ１３０の出力は、トランジスタＭ１０のベースとトランジスタＭ２０のベースとに供給される。
【００３０】
検出回路１７０は、ノイズ低減用端子Ｃｎと基準電圧回路１１０との間に接続されている。検出回路１７０は、ノイズ低減用端子Ｃｎの電圧Ｖｃｎが所定電圧以上であるか否かを検出する。本実施形態のレギュレータ１００では、検出回路１７０によりノイズ低減用端子Ｃｎの電圧Ｖｃｎが所定電圧以上であることが検出されると、誤差増幅回路１２０をオフさせることで、駆動用トランジスタであるトランジスタＭ１０をオフさせる。
【００３１】
以下に、図２を参照して本実施形態の基準電圧回路１１０と検出回路１７０について説明する。図２は、第一の実施形態の基準電圧回路と検出回路を説明するための図である。
【００３２】
本実施形態の基準電圧回路１１０は、バンドギャップリファレンス回路と、ノイズ低減用の抵抗Ｒ３０とから構成される。図２では、バンドギャップリファレンス回路の等価回路をダイオードＤとして示す。本実施形態のダイオードＤは、バイアス回路１６０と接地用端子ＧＮＤとの間に接続されている。
【００３３】
抵抗Ｒ３０の一端は、ダイオードＤとバイアス回路１６０との接続点と接続されており、他端はノイズ低減用端子Ｃｎと接続されている。ノイズ低減用端子Ｃｎは、ノイズ低減用コンデンサＣ１０と接続されており、抵抗Ｒ３０とノイズ低減用コンデンサＣ１０とでフィルタを構成し、ダイオードＤに起因するノイズを低減させる。
【００３４】
本実施形態では、バンドギャップリファレンス回路（ダイオードＤ）のバンドギャップ電圧Ｖｚから抵抗Ｒ３０による電圧降下分を差し引いた電圧が基準電圧Ｖｒｅｆとして誤差増幅回路１２０へ供給される。
【００３５】
本実施形態の検出回路１７０は、ＰＮＰ型トランジスタであるトランジスタＭ３０により構成される。
【００３６】
トランジスタＭ３０のベースは、ダイオードＤとバイアス回路１６０との接続点と接続されており、バンドギャップ電圧Ｖｚが供給される。トランジスタＭ３０のエミッタは、ノイズ低減用端子Ｃｎと接続されている。またトランジスタＭ３０のエミッタは抵抗Ｒ３０と誤差増幅回路１２０の入力端子との接続点と接続されている。トランジスタＭ３０のコレクタは、誤差増幅回路１２０と接続されており、誤差増幅回路１２０のオン／オフを制御する信号を誤差増幅回路１２０へ伝達する。
【００３７】
本実施形態では、ノイズ低減用端子Ｃｎの電圧Ｖｃｎが所定電圧に達すると、トランジスタＭ３０がオンする。トランジスタＭ３０がオンすると、誤差増幅回路１２０へ信号が伝達され、誤差増幅回路１２０がオフされる。誤差増幅回路１２０がオフされると、ドライバ１３０の出力もオフとなり、トランジスタＭ１０がオフされる。トランジスタＭ１０がオフされると、出力電圧Ｖｏｕｔは０Ｖとなる。
【００３８】
本実施形態における所定電圧とは、バンドギャップ電圧ＶｚとトランジスタＭ３０のベース−エミッタ間電圧Ｖｂｅとの和である。例えばダイオードＤのバンドギャップ電圧Ｖｚが１．２５Ｖであり、ベース−エミッタ間電圧Ｖｂｅが０．７Ｖである場合、所定電圧は、１．９５Ｖとなる。
【００３９】
尚本実施形態の検出回路１７０はトランジスタＭ３０のみで構成されるものとして説明したが、これに限定されない。以下に図３を参照して検出回路１７０の別の例について説明する。
【００４０】
図３は、検出回路の別の例を説明する図である。
【００４１】
検出回路１７０Ａは、トランジスタＭ３０と抵抗Ｒ４０、抵抗Ｒ５０を有する。抵抗Ｒ４０と抵抗Ｒ５０とは、抵抗Ｒ３０の一端と接地用端子ＧＮＤとの間に直列に接続されており、バンドギャップ電圧Ｖｚを分圧している。抵抗Ｒ４０と抵抗Ｒ５０との接続点Ｂは、トランジスタＭ３０のベースに接続されている。
【００４２】
検出回路１７０Ａにおいて、トランジスタＭ３０は、ノイズ低減用端子Ｃｎの電圧Ｖｃｎが、接続点Ｂの電圧と、トランジスタＭ３０のベース−エミッタ間電圧Ｖｂｅとの和となったときにオンされる。
【００４３】
例えばバンドギャップ電圧Ｖｚが１．２５Ｖであり、抵抗Ｒ４０の抵抗値と抵抗Ｒ５０の抵抗値との比が１：４である場合、接続点Ｂの電圧は１．０Ｖとなる。ここでトランジスタＭ３０のベース−エミッタ間電圧Ｖｂｅ＝０．７Ｖである場合、所定電圧は１．０Ｖ＋０．７Ｖ＝１．７Ｖとなる。
【００４４】
このように検出回路１７０Ａでは、抵抗Ｒ４０の抵抗値と抵抗Ｒ５０の抵抗値との比を調整することにより、駆動用トランジスタＭ１０をオフさせる電圧Ｖｃｎを調整することができる。
【００４５】
図４は、ノイズ低減用端子Ｃｎと入力端子Ｖｉとが短絡した状態でのノイズ低減用端子Ｃｎの電圧と出力電圧Ｖｏｕｔとの関係を示す図である。図４では、検出回路１７０Ａの接続点Ｂの電圧がトランジスタＭ３０のベースに供給される例を示している。図４では、接続点Ｂの電圧＝１Ｖ、トランジスタＭ３０のベース−エミッタ間電圧Ｖｂｅ＝０．７Ｖ、出力電圧Ｖｏｕｔの設定値＝３Ｖとした。
【００４６】
図４に示すように、出力電圧Ｖｏｕｔは、ノイズ低減用端子Ｃｎの電圧Ｖｃｎが、接続点Ｂの電圧とトランジスタＭ３０のベース−エミッタ間電圧Ｖｂｅとの和の電圧（１＋０．７＝１．７Ｖ）となったとき、オフされて０Ｖとなることがわかる。
【００４７】
以上に説明したように、本実施形態のレギュレータ１００では、ノイズ低減用端子Ｃｎと基準電圧回路１１０との間に検出回路１７０を設け、電圧Ｖｃｎが所定電圧以上となったとき、検出回路１７０を介して誤差増幅回路１２０をオフさせる。本実施形態では、この構成により、電圧Ｖｃｎが所定電圧以上となったとき、駆動用トランジスタであるトランジスタＭ１０をオフさせて出力電圧Ｖｏｕｔの上昇を抑制する。よって本実施形態では、ノイズ低減用端子Ｃｎの電圧Ｖｃｎの変動による出力電圧Ｖｏｕｔの上昇により、レギュレータ１００の後段に接続された回路が破損することを防止できる。
【００４８】
尚本実施形態では、検出回路１７０をトランジスタＭ３０により実現したが、これに限定されない。例えば検出回路１７０は、コンパレータ等により実現されても良い。
【００４９】
また本実施形態では、トランジスタＭ１０をオフした際に出力電圧Ｖｏｕｔが０Ｖになるものと説明したが、トランジスタＭ１０をオフした際の出力電圧Ｖｏｕｔは０Ｖでなくても良い。本実施形態では、トランジスタＭ１０をオフした際の出力電圧Ｖｏｕｔが、後段に接続された回路を破壊しない程度となれば良い。
【００５０】
（第二の実施形態）
以下に図面を参照して本発明の第二の実施形態について説明する。本発明の第二の実施形態は、駆動トランジスタＭ１０をオフさせるために過熱保護回路１５０を用いる点のみ第一の実施形態と相違する。したがって以下の第二の実施形態の説明では、第一の実施形態と同様の機能構成を有するものには第一の実施形態の説明で用いた符号と同様の符号を付与し、その説明を省略する。
【００５１】
図５は、第二の実施形態のレギュレータを説明するための図である。本実施形態のレギュレータ１００Ａでは、トランジスタＭ３０のコレクタが過熱保護回路１５０と接続されている。
【００５２】
本実施形態では、ノイズ低減用端子Ｃｎの電圧Ｖｃｎが所定電圧以上になると、検出回路１７０においてトランジスタＭ３０がオンされ、過熱保護回路１５０へ信号が伝達される。過熱保護回路１５０は、この信号を受けると過熱を検出したときと同様の動作を行う。すなわち過熱保護回路１５０は、ドライバ１３０をオフさせて、駆動用トランジスタであるトランジスタＭ１０がオフさせる。トランジスタＭ１０がオフされると、出力電圧Ｖｏｕｔが０Ｖとなる。
【００５３】
したがって本実施形態でも、第一の実施形態と同様の効果を得ることができる。
【００５４】
（第三の実施形態）
以下に図面を参照して本発明の第三の実施形態について説明する。本発明の第三の実施形態は、駆動トランジスタＭ１０をオフさせるために過電流保護回路１４０を用いる点のみ第一の実施形態と相違する。したがって以下の第三の実施形態の説明では、第一の実施形態と同様の機能構成を有するものには第一の実施形態の説明で用いた符号と同様の符号を付与し、その説明を省略する。
【００５５】
図６は、第三の実施形態のレギュレータを説明するための図である。本実施形態のレギュレータ１００Ｂでは、トランジスタＭ３０のコレクタが過電流保護回路１４０と接続されている。
【００５６】
本実施形態では、ノイズ低減用端子Ｃｎの電圧Ｖｃｎが所定電圧以上になると、検出回路１７０においてトランジスタＭ３０がオンされ、過電流保護回路１４０へ信号が伝達される。過電流保護回路１４０は、この信号を受けると、過電流を検出したときと同様の動作を行う。すなわち過電流保護回路１４０は、ドライバ１３０をオフさせて、駆動用トランジスタであるトランジスタＭ１０がオフさせる。トランジスタＭ１０がオフされると、出力電圧Ｖｏｕｔが０Ｖとなる。
【００５７】
したがって本実施形態でも、第一の実施形態と同様の効果を得ることができる。
【００５８】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【００５９】
１００、１００Ａ、１００Ｂ  レギュレータ
１１０  基準電圧回路
１２０  誤差増幅回路
１３０  ドライバ
１４０  過電流保護回路
１５０  過熱保護回路
１６０  バイアス回路
１７０、１７０Ａ  検出回路
Ｍ１０、Ｍ２０、Ｍ３０  トランジスタ
【図１】
2010244481.tif 000003
【図２】
2010244481.tif 000004
【図３】
2010244481.tif 000005
【図４】
2010244481.tif 000006
【図５】
2010244481.tif 000007
【図６】
2010244481.tif 000008
【図７】
2010244481.tif 000009
【図８】
2010244481.tif 000010